(57)【要約】【課題】  電話帳データの転送を受けたときに、その電話帳データの個人情報を保護することができるハンズフリー装置を提供すること。【解決手段】  近距離無線通信を介して対向機器から電話帳データを取得すると、電話帳データを記憶するときに、その電話帳データの転送元を識別する識別情報と対応付けて記憶し、記憶された電話帳データを検索するときには、近距離無線通信によって接続中の対向機器を識別する情報と対応付けられた電話帳データの中から検索を行う。【選択図】  図８
2010109930.tif 000002
【特許請求の範囲】
【請求項１】
近距離無線通信によってデータを送受信する無線通信手段と、
前記無線通信手段によって接続された機器の電話通信を制御可能とするハンズフリー接続を確立するハンズフリー制御手段と、
前記無線通信手段によって接続された機器から電話帳データを取得するための接続を確立する電話帳転送制御手段と、
前記電話帳転送制御手段によって接続が確立された機器から取得した電話帳データを転送元の機器の識別情報と対応付けて記憶する記憶手段とを有し、
前記電話帳転送制御手段は、前記記憶手段に記憶された電話帳データを検索するときに、前記ハンズフリー制御手段によって接続中の機器の識別情報と対応付けられた電話帳データから検索を行うことを特徴とするハンズフリー装置。
【請求項２】
近距離無線通信によってデータを送受信する無線通信手段と、
前記無線通信手段によって接続された機器の電話通信を制御可能とするハンズフリー接続を確立するハンズフリー制御手段と、
前記無線通信手段によって接続された機器から電話帳データを取得するための接続を確立する電話帳転送制御手段と、
前記電話帳転送制御手段によって接続が確立された機器から取得した電話帳データを前記ハンズフリー制御手段によって取得した接続中の機器の電話番号と対応付けて記憶する記憶手段とを有し、
前記電話帳転送制御手段は、前記記憶手段に記憶された電話帳データを検索するときに、前記ハンズフリー制御手段によって取得された接続中の機器の電話番号と対応付けられて前記記憶手段に記憶されている電話帳データから検索を行うことを特徴とするハンズフリー装置。
【請求項３】
近距離無線通信によってデータを送受信する無線通信手段と、
前記無線通信手段によって接続された機器の電話通信を制御可能とするハンズフリー接続を確立するハンズフリー制御手段と、
前記無線通信手段によって接続された機器から電話帳データを取得するための接続を確立する電話帳転送制御手段と、
前記電話帳転送制御手段によって接続が確立された機器から取得した電話帳データを前記ハンズフリー制御手段によって取得した接続中の機器の電話番号と対応付けて記憶する記憶手段とを有し、
前記電話帳転送制御手段は、上位アプリケーションから前記記憶手段に記憶された電話帳データの検索要求を受けたときに、その検索条件に合致し、前記ハンズフリー制御手段によって取得された接続中の機器の電話番号に対応付けて前記記憶手段に記憶されている電話帳データを前記上位アプリケーションへ通知することを特徴とするハンズフリー装置。
【発明の詳細な説明】
【技術分野】
【０００１】
本発明はハンズフリー装置に関する。
【背景技術】
【０００２】
近年、無線通信を用いて近接したハンズフリー装置と無線通信端末との間で電話帳のデータを転送する技術が知られている。例えば、Ｂｌｕｅｔｏｏｔｈ（登録商標）では、電話帳のデータを転送するためのプロファイルとして、ＰＢＡＰ（Phone Book Access Profile）がある。しかしながら、ＰＢＡＰでは、電話帳データを転送するための基本的な手
順のみが規定されており、実運用上で問題が起こるケースがある。
【０００３】
例えば、ＰＢＡＰによって電話帳データを受信するハンズフリー装置は複数台の無線通信端末から電話帳データを受信して記憶しておくことができるため、そのハンズフリー装置に接続した無線通信端末が、自端末以外の無線通信端末からハンズフリー装置に転送された電話帳データも参照することが可能となると、個人情報を保護することが難しい。
【０００４】
そこで、携帯電話端末からハンズフリー装置に転送する電話帳データにその電話帳データを利用可能な携帯電話端末の情報を含めておき、電話帳データが転送されたハンズフリー装置は、利用可能と設定された携帯電話端末にのみ、その電話帳データの参照を許可する制御方法が提案されている（例えば、特許文献１参照。）。
【特許文献１】特開２００８−８５４６６号公報
【発明の開示】
【発明が解決しようとする課題】
【０００５】
しかしながら、ハンズフリー装置に記憶された電話帳データは、ハンズフリー装置の表示画面に表示されることも考えられる。例えば、音声着信があったときに、ハンズフリー装置では、発呼元から通知される電話番号を用いて記憶している電話帳データを検索し、その電話番号に対応する名称を表示画面に表示する。このとき、ハンズフリー装置が記憶している全ての電話帳データを検索すると、現在ハンズフリー装置に接続している携帯電話端末以外の端末から転送された電話帳データをハンズフリー装置の表示画面に表示してしまう。
【０００６】
そこで本発明は、電話帳データの転送を受けたときに、その電話帳データの個人情報を保護することができるハンズフリー装置を提供することを目的とする。
【課題を解決するための手段】
【０００７】
上記目的を達成するために、本発明によるハンズフリー装置は、近距離無線通信によってデータを送受信する無線通信手段と、前記無線通信手段によって接続された機器の電話通信を制御可能とするハンズフリー接続を確立するハンズフリー制御手段と、前記無線通信手段によって接続された機器から電話帳データを取得するための接続を確立する電話帳転送制御手段と、前記電話帳転送制御手段によって接続が確立された機器から取得した電話帳データを転送元の機器の識別情報と対応付けて記憶する記憶手段とを有し、前記電話帳転送制御手段は、前記記憶手段に記憶された電話帳データを検索するときに、前記ハンズフリー制御手段によって接続中の機器の識別情報と対応付けられた電話帳データから検索を行うことを特徴としている。
【発明の効果】
【０００８】
本発明によれば、電話帳データの転送を受けたときに、その電話帳データの個人情報を保護することができるハンズフリー装置を提供することができる。
【発明を実施するための最良の形態】
【０００９】
以下、本発明の実施形態について図面を参照して説明する。ここでは、電話帳データを保持する携帯電話機から車載機器へ近距離無線によって電話帳を転送する場合を例として説明する。
【００１０】
図１は、本実施形態にかかる携帯電話機１とそれに無線接続する車載機器２との関係を示した図である。携帯電話機１は、Ｂｌｕｅｔｏｏｔｈなどの近距離無線通信によって車載機器２と情報の送受信ができる。
【００１１】
また、携帯電話機１は、基地局３、交換機４を介してネットワークに接続し、音声通信やデータ通信を行うことができる。また、携帯電話機１は、車載機器からの発信や車載機器での着信応答を可能とするためのハンズフリー制御手段を有しており、基地局３から受信した情報を近距離無線通信によって車載機器２へ転送することや、車載機器から受信した情報を基地局３へ送信することができる。
【００１２】
図２は、本実施形態にかかる携帯電話機の構成を示したブロック図である。携帯電話機１は、制御部５１、操作部５２、表示部５３、音声入出力部５４、無線電話通信部５５、記憶部５６、近距離無線通信部５７、ハンズフリー制御部５８、電話帳転送制御部５９を有する。
【００１３】
制御部５１は、ＣＰＵ、ＲＯＭ、ＲＡＭなどから構成され、携帯電話機１全体の制御を行う。
【００１４】
操作部５２は、操作キーまたはタッチパッド、タッチパネルなどから構成され、ユーザの操作に応じた信号を制御部５１に入力する。
【００１５】
表示部５３は、液晶ディスプレイや有機ＥＬディスプレイなどによって構成され、制御部５１の制御に応じて文字や画像を表示する。
【００１６】
音声入出力部５４は、スピーカおよびマイクロホンから成り、無線電話通信部５５によって通信される音声の入出力や音楽コンテンツや動画コンテンツの音声・音楽の出力などを行う。
【００１７】
無線電話通信部５５は、基地局３を介して音声通信やパケット通信を行う。例えば、音声通信によって音声を送信する場合、音声入出力部５４のマイクロホンから音声を収音して得られた音声データに対して、符号化や誤り制御などの信号処理を行ったデータを電波に変換して、基地局３へ送信する。また、受話音声は、基地局３からの電波を受信し、電波から電気信号に変換した後、復号や誤り訂正などの信号処理を行い、音声入出力部５４のスピーカから音声を出力する。
【００１８】
記憶部５６は、各種アプリケーションソフトウェアや、ユーザが登録した情報などを記憶する。電話帳データが登録される電話帳データベース５６ａも記憶部５６に含まれる。
【００１９】
電話帳データには、電話通信の電話番号やその電話番号に対応付けられた名称、住所、メールアドレスなどが含まれる。
【００２０】
近距離無線通信部５７は、Ｂｌｕｅｔｏｏｔｈなどの、無線電話通信部５５よりも無線送信電力の小さい電波を用いた無線通信モジュールなどから構成され、対向機器との無線通信を行う。以降では、近距離無線通信部５７はＢｌｕｅｔｏｏｔｈによる接続を行うとして説明する。Ｂｌｕｅｔｏｏｔｈによって対向機器と接続する場合、ＨＦＰによってハンズフリー通話を実現することができ、ＰＢＡＰによって電話帳転送を行うことができる。
【００２１】
ハンズフリー制御部５８は、無線電話通信部５５によって発着信する音声通信を車載機器２から近距離無線通信を介してハンズフリー通話可能とするためのハンズフリー制御を行う。
【００２２】
電話帳転送制御部５９は、近距離無線通信部５７を用いて電話帳データベース５６ａに登録されている電話帳データを対向機器へ転送するための制御を行う。
【００２３】
図３は、本実施形態にかかる携帯電話機１と近距離無線によって接続可能な車載機器２の構成を示したブロック図である。車載機器２は、制御部８１、操作部８２、表示部８３、音声入出力部８４、記憶部８６、近距離無線通信部８７、ハンズフリー制御部８８、電話帳転送制御部８９を有する。
【００２４】
制御部８１は、ＣＰＵ、ＲＯＭ、ＲＡＭなどから構成され、車載機器２全体の制御を行う。
【００２５】
操作部８２は、操作キーまたはタッチパネルなどから構成され、ユーザの操作に応じた信号を制御部８１に入力する。
【００２６】
表示部８３は、液晶ディスプレイや有機ＥＬディスプレイなどによって構成され、制御部８１からの制御に応じて文字や画像を表示する。
【００２７】
音声入出力部８４は、スピーカおよびマイクロホンから成り、音楽コンテンツや動画コンテンツの音声・音楽の出力などを行う。
【００２８】
記憶部８６は、各種アプリケーションソフトウェアや、ユーザが登録した情報などを記憶する。後述する処理によって携帯電話機１から転送される電話帳データが登録される電話帳データベース８６ａも記憶部８６に含まれる。
【００２９】
近距離無線通信部８７は、Ｂｌｕｅｔｏｏｔｈなどの、無線送信電力の小さい電波を用いた無線通信モジュールなどから構成され、対向機器との無線通信を行う。以降では、近距離無線通信部８７はＢｌｕｅｔｏｏｔｈによる接続を行うとして説明する。
【００３０】
ハンズフリー制御部８８は、近距離無線通信部８７を用いた携帯電話機１のハンズフリー通話を行うためのハンズフリー制御を行う。
【００３１】
電話帳転送制御部８９は、近距離無線通信部８７を用いて携帯電話機１から電話帳データを取得するための制御を行う。携帯電話機１から転送された電話帳データは、記憶部８６の電話帳データベース８６ａに格納される。そして、電話帳データベース８６ａに記憶された電話帳データは、例えば操作部８２からの操作に応じて表示部８３に表示されることや、ハンズフリー制御部８８によって携帯電話機１から音声着信が転送されたときに参照されて表示部８３に表示されることがある。
【００３２】
以上のような構成を有する携帯電話機１と車載機器２との間で電話帳転送を行うときの処理について説明する。携帯電話機１から車載機器２へ近距離無線通信によって電話帳転送を行うときにはまず、携帯電話機１と車載機器２との間で、電話帳転送機能のためのセッションを確立する。電話帳転送機能のためのセッションを確立するには、電話帳転送元である携帯電話機１が、転送先である車載機器２を機器認証する必要がある。
【００３３】
ただし携帯電話機１と車載機器２との間では、ハンズフリー接続のためにも機器認証を行う。ハンズフリー機器登録を行うときには、携帯電話機１は、周囲のハンズフリー機器を探索し、探索されたハンズフリー機器から機器登録するハンズフリー機器を選択し、そのハンズフリー機器が対応しているサービスを確認するとともに、ＰＩＮを交換して認証処理を行う。ハンズフリー機器登録が完了すると、携帯電話機１の記憶部５６に登録されたハンズフリー機器のデバイス名や認証キーなどの機器の属性を示す情報が格納され、ハンズフリー機能のためのセッションを確立することが可能となる。このような機器認証をハンズフリー接続のためだけでなく、電話帳転送のセッション確立のためにも行うには、ユーザにとって手間がかかる。そこで、電話帳転送機能のためのセッションを確立する際に、セキュリティーは保護しながらも電話帳転送機能のための機器認証の処理を簡略化する場合が考えられる。例えば、携帯電話機１の電話帳転送制御部５９は、近距離無線通信によってハンズフリー接続を行うために認証され、機器登録が完了している機器からの電話帳転送要求であることが確認できれば、電話帳転送機能のためのセッションを確立するよう制御しても良い。
【００３４】
また例えば、携帯電話機１のハンズフリー制御部５８は、ハンズフリー接続のためには機器認証を必須とし、携帯電話機１の電話帳転送制御部５９は、近距離無線通信によってハンズフリー接続中の機器からの電話帳転送要求であることが確認できれば、電話帳転送機能のためのセッションを確立するよう制御しても良い。以降では、このようにハンズフリー接続中の機器からの電話帳転送要求であるか否かに応じて電話帳転送のためのセッションを確立する場合を例として説明する。
【００３５】
図４は、携帯電話機１の電話帳転送制御部５９によって電話帳転送機能のための接続を確立する処理を示すフローチャートである。まず、電話帳転送制御部５９は、ハンズフリー装置から近距離無線通信部５７によって受信した電話帳転送接続要求を取得する。そして、この要求に含まれるハンズフリー装置を識別する情報を用いて、ハンズフリー接続中の機器から送信された要求であるか否かを判断し（Ｓ１２２）、ハンズフリー接続中の機器から送信された電話帳転送接続要求であれば（Ｓ１２２のＹｅｓ）、電話帳転送接続可能であることをそのハンズフリー装置へ応答し（Ｓ１２３）、電話帳転送接続を開始する（Ｓ１２４）。一方、ハンズフリー接続中以外の機器から送信された電話帳転送接続要求であれば（Ｓ１２２のＮｏ）、電話帳転送接続不可であることをハンズフリー装置へ応答する（Ｓ１２５）。
【００３６】
一方、車載機器２の電話帳転送制御部８９は、電話帳転送機能のための接続を確立する要求を出力した後、電話帳転送接続可能であることを示す応答を受信すると、電話帳転送機能のための接続を確立する。
【００３７】
図５は、車載機器２の電話帳転送制御部８９が、電話帳転送機能のための接続が確立された後に、電話帳を取得する処理を示すフローチャートである。電話帳転送制御部８９は、電話帳転送機能のための接続が確立された後、電話帳データを取得するための要求を携帯電話機１へ出力する（Ｓ１５１）。そして、携帯電話機１から、電話帳データを取得するとともに（Ｓ１５２）、携帯電話機１とハンズフリー接続を行うハンズフリー制御部８８から携帯電話機１の識別情報を取得する。そして、電話帳データを携帯電話機１の識別情報と対応付けて記憶部８６の電話帳データベース８６ａに記憶する（Ｓ１５３）。携帯電話機１の識別情報は、携帯電話機１を一意に識別する情報であって、例えば電話番号である。以降では、電話帳データとその転送元である携帯電話機１の電話番号が電話帳データベース８６ａに対応付けられて記憶されるとして説明する。
【００３８】
図６は、電話帳データベース８６ａに記憶する電話帳データのイメージ図である。電話帳データベース８６ａに電話帳データを記憶する際には、他の携帯電話機から転送された電話帳データと区別できるような状態で記憶される。図６では、表の形式で示したが、電話帳データと転送元電話番号は表形式で記憶されるのに限定されることはなく、電話帳データから転送元の電話番号を参照できれば良い。また、図６では、電話帳データとして名前、種別、電話番号を示したが、メールアドレスや住所など他の情報が含まれていても良い。また、図６に示した電話帳データでは、転送元の電話番号「090-9999-9999」や「080-8888-8888」と対応付けて「080-0000-0000」や「090-5555-5555」など異なる電話番号を有する電話帳データが記憶される場合を例にしたが、同じ電話番号を有する電話帳データが異なる携帯電話機からそれぞれ転送されることも考えられる。例えば、「080-0000-0000」という電話番号を有する電話帳データが電話番号「090-9999-9999」の携帯電話機からだけでなく、電話番号「080-8888-8888」の携帯電話機からも転送される場合がある。こ
のような場合にも、それぞれの転送元電話番号と対応付けて転送された電話帳データが記憶される。
【００３９】
図７は、電話帳転送制御部８９が電話帳データベース８６ａに登録された電話帳データからデータ検索を行うときの処理を示すフローチャートである。まず、電話帳転送制御部８９は、制御部８１によって実行される上位アプリケーションから電話帳データを検索する要求を取得する（Ｓ１８１）。上位アプリケーションから電話帳データ検索要求を受ける場合とは、例えば、音声着信をハンズフリー制御部８８によって受けたときに、制御部８１の上位アプリケーションが、その音声着信の電話番号に対応付けられて電話帳データベース８６ａに記憶されている名前のデータを電話帳転送制御部８９へ要求するような場合である。
【００４０】
電話帳データ検索要求を受けた電話帳転送制御部８９は、ハンズフリー制御部８８によって接続が確立されている携帯電話機１の電話番号を取得する。そして、接続中の携帯電話機１の電話番号に対応付けられて電話帳データベース８６ａに記憶されている電話帳データの中から、上位アプリケーションの要求に応じた検索を行う（Ｓ１８２）。そして、上位アプリケーションに対して、検索結果を通知する（Ｓ１８３）。
【００４１】
このように、電話帳データの検索要求を受けた電話帳転送制御部８９は、ハンズフリー接続中の携帯電話機１の電話番号に対応付けられて電話帳データベース８６ａに記憶されている電話帳データのうち、検索の条件に合致したものを出力することによって、不適切な電話帳データが車載機器２の表示部８３や音声入出力部８４から出力されることを防ぐことができる。
【００４２】
同じ電話番号を有する電話帳データが異なる複数の転送元の電話番号にそれぞれ対応付けて登録されている場合であっても、転送元の電話番号に対応付けられた電話帳データを検索することができる。電話帳データには、同じ電話番号であっても転送元の携帯電話機の所有者によって名前などのデータが対応付けて登録されている場合があるが、このような場合であっても、電話帳転送制御部８９は、電話番号をキーとして電話帳データベース８６ａを検索するときに、ハンズフリー接続中の携帯電話機の電話番号と対応付けられた電話帳データから検索条件に該当する電話帳データを検索して上位アプリケーションに応答するため、ハンズフリー接続中でない携帯電話機の電話番号に対応付けられた電話帳データを応答することを防ぐことができる。
【００４３】
なお、図７のフローチャートでは、電話帳転送制御部８９が、ハンズフリー接続中の携帯電話機の電話番号に対応付けられていない電話帳データを検索範囲から除くことによって、接続中の携帯電話機の電話番号に対応付けられていない電話帳データを電話帳転送制御部８９から出力されることを防ぐ場合を説明したが、これに限定されず、上位アプリケーションに対して通知される検索結果に、接続中の携帯電話機の電話番号に対応付けられていない電話帳データが含まれていなければ良い。例えば、電話帳データベース８６ａから検索条件に合致するものを検索し、その中から接続中の携帯電話機の電話番号に対応付けられた電話帳データのみを検索結果として、上位アプリケーションに対して通知しても良い。
【００４４】
図８は、携帯電話機１と車載機器２との間で電話帳転送が行われ、転送された電話帳データを検索するよう車載機器２の上位アプリケーションが要求を出すときの処理の流れを示すシーケンス図である。
【００４５】
ユーザによって携帯電話機１と車載機器２とのハンズフリー接続を要求する所定の操作が操作部８２を介して車載機器２に入力されると、車載機器２のハンズフリー制御部８８は、携帯電話機１のハンズフリー制御部５８に対して、ハンズフリー接続要求を出力する（Ｓ２０１）。携帯電話機１のハンズフリー制御部５８は、ハンズフリー接続要求を受けたときに、そのハンズフリー接続要求を出力した機器についてハンズフリー機器登録が完了しているか否かを確認する（Ｓ２０２）。そして、機器登録が完了していると確認できれば、ハンズフリー接続可能であることを示す応答を出力する（Ｓ２０３）。そして、ハンズフリー制御部５８とハンズフリー制御部８８とによってハンズフリー接続を確立する（Ｓ２０４）。
【００４６】
その後、車載機器２の電話帳転送制御部８９は、携帯電話機１の電話帳転送制御部５９に対して電話帳転送接続要求を送信する（Ｓ２０５）。携帯電話機１の電話帳転送制御部５９は、受信した電話帳転送接続要求に含まれる車載機器２を識別する情報を用いて、ハンズフリー接続中の機器からの電話帳転送接続要求であるか否かを確認する（Ｓ２０６）。そして、ハンズフリー接続中の機器からの電話帳転送接続要求であれば、接続可能であることを示す応答を車載機器２の電話帳転送制御部８９へ送信し（Ｓ２０７）、電話帳転送接続が開始される（Ｓ２０８）。電話帳転送の接続が確立した後には、携帯電話機１の電話帳転送制御部５９が車載機器２の電話帳転送制御部８９から電話帳データ取得要求を受信した場合には（Ｓ２０９）、電話帳データベース５６ａに登録された電話帳データを車載機器２の電話帳転送制御部８９へ転送する（Ｓ２１０）。
【００４７】
車載機器２の電話帳転送制御部８９は、電話帳データ取得要求に応じて取得した電話帳データを、電話帳データの転送元の携帯電話機の電話番号と対応付けて電話帳データベース８６ａに格納する（Ｓ２１１）。
【００４８】
そして、電話帳転送制御部８９が、制御部８１にて動作する上位アプリケーションから電話帳データの検索要求を受けると（Ｓ２１２）、電話帳転送制御部８９は、電話帳転送要求を受けたときにハンズフリー制御部８８によって接続中の携帯電話機の電話番号を取得し、その接続中の携帯電話機の電話番号に対応付けられて電話帳データベース５６ａに記憶された電話帳データを検索する（Ｓ２１３）。そして、得られた検索結果を制御部８１にて動作する上位アプリケーションに送信する（Ｓ２１４）。
【００４９】
以上のように、電話帳データの転送を受けた車載機器が電話帳データを記憶するときに、電話帳データの転送元の機器を識別する識別情報を対応付けて記憶しておき、上位アプリケーションから電話帳データを検索する要求を受けた場合には、現在ハンズフリー接続中の機器の識別情報と対応付けて記憶している電話帳データから検索を行う。このような実施形態の構成をとることで、接続中の機器に対応した電話帳データから検索を行うことができるため、電話帳データを転送元の機器以外が接続されているときに出力することはなく、情報のセキュリティーを保護することができる。
【００５０】
なお、上記実施形態に限定されることはなく、本発明の要旨を逸脱しない範囲において、適宜変更しても良い。例えば、本実施形態では、車載機器と携帯電話機を例に出して説明したが、電話帳転送元の機器と電話帳転送先の機器は、これらに限定されることはなく、ハンズフリー機能および電話帳転送機能を有していれば良い。
【図面の簡単な説明】
【００５１】
【図１】本発明の実施形態に係る車載機器とそれに無線接続する携帯電話機との関係を示した図。
【図２】本発明の実施形態に係る車載機器に無線接続する携帯電話機の構成を示すブロック図。
【図３】本発明の実施形態に係る車載機器の構成を示すブロック図。
【図４】本発明の実施形態に係る車載機器に無線接続する携帯電話機の電話帳転送制御部によって電話帳転送機能のための接続を確立する処理を示すフローチャート。
【図５】本発明の実施形態に係る車載機器の電話帳転送制御部が、電話帳転送機能のための接続が確立された後に、電話帳を取得する処理を示すフローチャート。
【図６】本発明の実施形態に係る車載機器の電話帳データベースに記憶する電話帳データのイメージ図。
【図７】本発明の実施形態に係る車載機器の電話帳転送制御部が電話帳データベースに登録された電話帳データからデータ検索を行うときの処理を示すフローチャート。
【図８】本発明の実施形態に係る車載機器と携帯電話機との間で電話帳転送が行われ、転送された電話帳データを検索するよう車載機器の上位アプリケーションが要求を出すときの処理の流れを示すシーケンス図。
【符号の説明】
【００５２】
１  携帯電話機、２  車載機器、３  基地局、４  交換機、５１  制御部、５２  操作部、５３  表示部、５４  音声入出力部、５５  無線電話通信部、５６  記憶部、５６ａ  電話帳データベース、５７  近距離無線通信部、５８  ハンズフリー制御部、５９  電話帳転送制御部、８１  制御部、８２  操作部、８３  表示部、８４  音声入出力部、８６  記憶部、８６ａ  電話帳データベース、８７  近距離無線通信部、８８  ハンズフリー制御部、８９  電話帳転送制御部
【図１】
2010109930.tif 000003
【図２】
2010109930.tif 000004
【図３】
2010109930.tif 000005
【図４】
2010109930.tif 000006
【図５】
2010109930.tif 000007
【図６】
2010109930.tif 000008
【図７】
2010109930.tif 000009
【図８】
2010109930.tif 000010